(57)【要約】【課題】複数の筆記具用部品Ａ、Ｂ、Ｃ・・・からなる筆記具において、筆記時における筆記具のバランス及び安定感が良好であり、円滑な微小往復回転運動が可能で好適な筆記動作を可能にする筆記具を提供する。【解決手段】複数の筆記具用部品Ａ、Ｂ、Ｃ・・・からなる筆記具において、筆記具の重心が、筆記体を突出した状態での筆記体先端から２０ｍｍの位置から筆記具全長の１／２の位置までの間に位置するとともに、筆記体先端から２０ｍｍの位置から筆記具全長の１／２の位置までの間における重量が、筆記具の総重量の５０％以上であることを特徴とする。【選択図】  図１
2004338235.tif 000002
【特許請求の範囲】
【請求項１】
複数の筆記具用部品Ａ、Ｂ、Ｃ・・・からなる筆記具において、該筆記具の重心が、筆記体を突出した状態での筆記体先端から２０ｍｍの位置から筆記具全長の１／２の位置までの間に位置するとともに、該筆記体先端から２０ｍｍの位置から筆記具全長の１／２の位置までの間における重量が、筆記具の総重量の５０％以上である
ことを特徴とする筆記具。
【請求項２】
前記重心の位置が、前記筆記体先端から２０ｍｍの位置と筆記具全長の１／２の位置との中点位置と筆記具全長の１／２の位置までの間に位置する
ことを特徴とする請求項１に記載の筆記具。
【請求項３】
前記筆記体先端から２０ｍｍの位置から筆記具全長の１／２の位置の間に、荷重を付加する重量調整部品を配設した
ことを特徴とする請求項１ないし２の何れか１項に記載の筆記具。
【請求項４】
前記重量調整部品は、金属材料で形成されている
ことを特徴とする請求項３に記載の筆記具。
【請求項５】
前記筆記具の先端部及び／又は後端部は、比重の小さい金属材料又は樹脂材料で形成されている
ことを特徴とする請求項１ないし４の何れか１項に記載の筆記具。
【請求項６】
前記筆記具の先端部及び／又は後端部は、前記筆記体先端から２０ｍｍの位置から筆記具全長の１／２の位置までの間における平均的比重に比べて比重のより小さい金属材料又は樹脂材料で形成されている
ことを特徴とする請求項５に記載の筆記具。
【請求項７】
前記筆記具用部品Ａ、Ｂ、Ｃ・・・の総重量が、１５ｇｆ以上である
ことを特徴とする請求項１ないし６の何れか１項に記載の筆記具。
【請求項８】
前記重心位置を回転軸とした時の筆記具の慣性モーメントＩが、４３００ｇｆ・ｍｍ２以上、２５０００ｇｆ・ｍｍ２以下である
ことを特徴とする請求項１ないし７の何れか１項に記載の筆記具。
【請求項９】
前記重心位置を回転軸とした時の筆記具の慣性モーメントＩが、２００００ｇｆ・ｍｍ２以下である
ことを特徴とする請求項８に記載の筆記具。
【発明の詳細な説明】
【０００１】
【発明の属する技術分野】
本発明は、複数の筆記具用部品からな筆記具に関する。
【０００２】
【従来の技術】
従来から、筆記具における重心位置について、例えば、特開２００１−２７０２８１号公報「筆記具」のように、本体筒を、前部領域、中間領域、後部領域したとき、中間領域に重心が位置し、筆記時において安定した微小な往復回転運動ができる筆記具が開示されている。
【０００３】
【特許文献１】
「特開２００１−２７０２８１号公報」
【０００４】
【発明が解決しようとする課題】
本発明者は、筆記時において微小な往復回転運動をしやすい筆記具について検討した。この結果、図３に示すように、筆記具は、一文字を書き、次の文字に移行する時等に、筆記先端を上下させる微小な往復回転運動を行っている。微小な往復回転運動のしやすい筆記具は、回転軸が重心と同一或いは近傍に位置することにより、筆記時における筆記具の慣性モーメントが小さくなるため、その往復回転運動もしやすくなるためであると考えられる。
【０００５】
しかしながら、特開２００１−２７０２８１号公報「筆記具」のように、中間領域を重心位置にするには、筆記具の総重量及び各筆記具用部品の重量を考慮すれば設定可能であるが、中間領域に重心位置を設定しただけでは、握った時のバランス及び安定感が良好であるものではなかった。また、この中間領域は、中間領域の前端及び後端側から中間領域の中央に向かって曲線状に減少する外径に設けられるとしているが、中間領域の設定は位置的な曖昧さがあるため、筆記具の形状によっては、ペン先部の近傍又はノック部の近傍に中間領域が設けられてしまうこともある。また、仮に筆記具全長の中心あたりを中間領域として重心位置を設定しても、必ずしも微小な往復回転運動がしやすいものではないという問題があった。
【０００６】
これは、例えば、筆記具の先端部及び後端部に金属部品を用いた場合でも、結果的には、中間領域を重心位置とすることができるが、握った時のバランスが悪くなり安定感がないためである。すなわち、筆記時のように筆記具に傾きが発生すると先端部又は後端部側の比重の高い金属部品等の存在の影響により、握った時のバランスが悪くなり安定感がなくなるのである。さらに、筆記具の重心から離間した位置である先端部及び後端部に比重の高い金属部品を使用すると、この金属部品の慣性モーメントが高いので、筆記具自体の慣性モーメントも高くなってしまうためである。
【０００７】
この慣性モーメントは、物体の回転の始まりにくさ、止まりにくさを示すものであることはよく知られていて、一般的に、直棒の慣性モーメントについては、直棒の中心から回す場合と、直棒の端で回す場合において、直棒の中心で回したほうが回転によって描かれる円の直径が小さいので回し易い、従って、中心で回す場合の慣性モーメントが最も小さい。これは、重心位置が慣性モーメントと密接な関係にあり、重量、全長が同じであれば、重心位置と回転軸が同一であれば慣性モーメントが最も小さく、回転軸と重心位置が離間するに従って、慣性モーメントも高くなるからである。
【０００８】
重心位置と回転軸の位置とを同位置にすることが、慣性モーメントを小さくする要因ではある。しかし、筆記具は複数の筆記具用部品からなり、筆記具の慣性モーメントは、各筆記具用部品の慣性モーメントの総和からなることを考慮すると、回転軸の位置と重心を同一にしただけでは、必ずしも微小な往復回転運動をしやすくするものではないことがわかった。
【０００９】
筆記具の最小の慣性モーメントＩは、筆記具の重心を回転軸とした、各筆記具用部品の慣性モーメントを求め、（部品Ａ＝ｄＩ１、部品Ｂ＝ｄＩ２、部品Ｃ＝ｄＩ３、・・・）これらの各部品の慣性モーメントを、下記式のように総和することによって求めることができる。
Ｉ＝（ｄＩ１＋ｄＩ２＋ｄＩ３＋・・・）
【００１０】
そこで本発明の目的は、上記従来技術の有する問題を解消し、筆記時における筆記具のバランス及び安定感が良好であり、円滑な微小往復回転運動が可能で好適な筆記動作を可能にする筆記具を提供することにある。
【００１１】
【課題を解決するための手段】
本発明者は、筆記時おける筆記具のバランス及び安定感について検討した結果、筆記具は、把持した時に親指、人差し指、中指の指先が当接する部分（図１４における符合ａ）と、親指と人差し指の指間の当接部分（図１４における符合ｂ）とで支持しており、ａとｂの間に支持される筆記部の部分に重心が位置し、さらにこの間に重量が集中していれば、筆記時における筆記具のバランス及び安定感が良好である、との知見を得たのである。
【００１２】
具体的には、筆記体が突出している筆記状態における一般的なシャープペンシル、ボールペン、万年筆、マーカーなどの筆記具の全長は１２０〜１８０ｍｍであり、筆記具において、筆記体の先端部が見やすいように、軸筒の口先部に向かって徐々に縮径した、先細形状となっていることを考慮すると、親指、人差し指、中指の指先が当接する部分ａは、先細形状より後方に位置している。この先細形状は、製品形状によっても多少異なるが筆記体を含めて概略１５〜２０ｍｍを有するので、筆記体先端から１５〜２０ｍｍの位置より後方となる。また、親指と人差し指の指間の当接部分ｂは、手の大きさ等によっても多少異なるが、少なくとも筆記具における筆記具全長の約１／２より後方に位置している。そのため、筆記体先端から２０ｍｍの位置から筆記具全長の約１／２の位置の間に、重心が位置し、尚且つ重量が集中していれば、筆記時における筆記具のバランス及び安定感が良好である。
【００１３】
本発明は、上記本発明者の得た知見に基づくものである。本発明の筆記具は、複数の筆記具用部品Ａ、Ｂ、Ｃ・・・からなる筆記具において、該筆記具の重心が、筆記体を突出した状態での筆記体先端から２０ｍｍの位置から筆記具全長の１／２の位置までの間に位置するとともに、該筆記体先端から２０ｍｍの位置から筆記具全長の１／２の位置までの間における重量が、筆記具の総重量の５０％以上であることを特徴とする。
【００１４】
また、前記重心の位置が、前記筆記体先端から２０ｍｍの位置と筆記具全長の１／２の位置との中点位置と筆記具全長の１／２の位置までの間に位置する
ことを特徴とする。
【００１５】
また、前記筆記体先端から２０ｍｍの位置から筆記具全長の１／２の位置の間に、荷重を付加する重量調整部品を配設したことを特徴とする。
【００１６】
また、前記重量調整部品は、金属材料で形成されていることを特徴とする。
【００１７】
また、前記筆記具の先端部及び／又は後端部は、比重の小さい金属材料又は樹脂材料で形成されていることを特徴とする。
【００１８】
また、前記筆記具の先端部及び／又は後端部は、前記筆記体先端から２０ｍｍの位置から筆記具全長の１／２の位置までの間における平均的比重に比べて比重のより小さい金属材料又は樹脂材料で形成されていることを特徴とする。
【００１９】
また、前記筆記具用部品Ａ、Ｂ、Ｃ・・・の総重量が、１５ｇｆ以上である
ことを特徴とする。
【００２０】
また、前記重心位置を回転軸とした時の筆記具の慣性モーメントＩが、４３００ｇｆ・ｍｍ２以上、２５０００ｇｆ・ｍｍ２以下である
ことを特徴とする。
【００２１】
また、前記重心位置を回転軸とした時の筆記具の慣性モーメントＩが、２００００ｇｆ・ｍｍ２以下であることを特徴とする。
【００２２】
本発明における、比重の小さい金属部材は、アルミニウム（比重：２．７ｇｆ／ｃｍ３）及びその合金、マグネシウム（比重：１．７４ｇｆ／ｃｍ３）及びその合金等が挙げられる。比重の小さい樹脂材料としては、ポリプロピレン（比重：０．９０〜０．９１ｇｆ／ｃｍ３）及び／またはポリエチレン（比重：０．９１〜０．９７ｇｆ／ｃｍ３）等、比重が１．０ｇｆ／ｃｍ３未満の樹脂が挙げられる。
【００２３】
【発明の実施の形態】
本発明の実施の形態を図面を用いて説明する。同じ部材、同じ箇所を示すものは同じ符号を付す。
【００２４】
図１に示す第１の実施の形態を示す筆記具１は、先ず、低比重の樹脂のポリプロピレンで形成した軸筒２の把持部を、他の軸筒２の外径より小径に形成してある。その把持部に、比重の高いシリコーンゴム（比重≒１．２ｇｆ／ｃｍ３）からなるグリップ部材４を装着する。軸筒２の先端部には、ＰＣ樹脂で形成した首部材３を螺合し、軸筒２内には、タングステンカーバイド製のボールを回転自在に抱持したステンレス製のボールペンチップ８を装着し、ＰＰ樹脂からなるインキ収容筒７の内部に油性インキを収容したボールペンレフィルを、軸筒２内に配設した硬鋼線のコイルスプリング１０により軸筒２の後端方向に付勢して収納したノック式ボールペンとしてある。
【００２５】
軸筒２の内壁面に、ＰＯＭ樹脂で形成した回転カム５を前後に摺動案内し回転させるためのカム溝（図示せず）を形成し、このカム溝に、回転カム５に形成した突起を係合して配設してある。回転カム５の後端には、前記回転カム５を摺動し回転を付与するためのカム部を先端に有した、ＰＣ樹脂で形成したノック体６を、軸筒２の後端の開口部より外方に突出した状態に配設した構造である。軸筒の後端部にはクリップ９を一体に形成してある。
【００２６】
筆記具の総重量は、１３．６ｇｆ、ノック体を作動し、ボールペンチップが前軸の先端開口部から突出した状態（筆記時）での筆記具の全長が１４０ｍｍ、重心は筆記先端から６７．８ｍｍに位置し、重心位置を回転軸として計算した慣性モーメントＩは、Ｉ≒２００００ｇｆ・ｍｍ２であるノック式の筆記具を得ている。
【００２７】
筆記体が突出した筆記状態において、図２に示すような筆記先端からの重量分布となり、筆記体先端から２０ｍｍの位置から筆記具全長の１／２の位置の間における重量が、筆記具の総重量の５０％以上となるように、グリップ部材４を比重の高い弾性体で形成し、さらにグリップ部材４の肉圧を厚くしてある。具体的には、筆記体先端から２０ｍｍの位置から筆記具全長の１／２の位置（筆記先端から７０ｍｍ）の間における重量は７．０ｇｆで、筆記具の総重量の約５１％であった。重量分布は、筆記体先端から筆記具の後端まで１ｍｍピッチで輪切りにし、輪切り内に位置する個々の筆記具用部品の重量を求め、これらを総和した値から求めることができる。
【００２８】
また、図３に示す通り、筆記具は、一文字を書き、次の文字に移行する時に、筆記先端を上下させる微小な往復回転運動を行っている。この時の回転運動の回転軸Ｋが筆記具の略中央部に位置していることから、重心の位置が、筆記体先端から２０ｍｍの位置から筆記具全長の１／２の位置までの間に位置する、好ましくは、筆記体先端から２０ｍｍの位置と筆記具全長の１／２の位置との中点位置と筆記具全長の１／２の位置までの間に位置することにより、筆記時における慣性モーメントを小さくすることができ、円滑な微小往復回転運動が可能で好適な筆記動作を得ることができる。
【００２９】
図４に示す、第２の実施の形態における筆記具１１は、軸筒２の把持部に、グリップ部材１４と、筆記体先端から２０ｍｍの位置から筆記具全長の１／２の位置の間に荷重を付加するための重量調整部品Ｇとを配設し、総重量を２０．８ｇｆとした以外は、第１の実施の形態と同様にして得たノック式ボールペンである。重量調整部品Ｇは、比重の大きい材料の黄銅（比重≒８．３ｇｆ／ｃｍ３）で形成されており、ここでは、筆記具用部品の中で最も重量の重い、部品（８．４ｇｆ）で形成されている。また、重量調整部品Ｇは円筒形状を有し、グリップ部材１４の内側に配設されており、外部には露見していない。全長は１４０ｍｍ、重心は筆記先端から６４．３ｍｍ、重心位置を回転軸として計算した慣性モーメントＩは、Ｉ≒２１０００ｇｆ・ｍｍ２であった。
【００３０】
なお、重量調整部品Ｇは、筆記具の支配的な重量が筆記体先端から２０ｍｍの位置から筆記具全長の１／２の位置の間、特に、筆記体先端から２０ｍｍの位置と筆記具全長の１／２の位置との中点位置と筆記具全長の１／２の位置までの間に、局在させるのに有効である。重量調整部品Ｇの配設位置は、筆記体先端から２０ｍｍの位置から筆記具全長の１／２の位置の間であればよく、例えば軸筒２の内部であってもよく、また形状も円筒形状に限らず任意の形状でもよい。このように、重量調整部品Ｇを設けたので、所望な重量を有しながら慣性モーメントＩを小さくさせることができ、円滑な微小往復回転運動が可能で好適な筆記動作を可能にできる。
【００３１】
重量分布概略図は、図５に示す通りであり、単に金属製の重量調整部品Ｇを配設するだけでなく、筆記体先端から２０ｍｍの位置から筆記具全長の１／２の位置（筆記先端から７０ｍｍ）の間における重量が、筆記具の総重量の５０％以上となり、且つ重心位置が筆記体先端から２０ｍｍの位置から筆記具全長の１／２（筆記先端から７０ｍｍ）の間にくるように設定してある。具体的には、筆記体先端から２０ｍｍの位置から筆記具全長の１／２（筆記先端から７０ｍｍ）の間における重量は１３．９ｇｆで、筆記具の総重量の約６７％であった。
【００３２】
図６に示す、第３の実施の形態における筆記具２１は、軸筒２２の把持部に、グリップ部材２４と筆記体先端から２０ｍｍの位置から筆記具全長の１／２の間に、荷重を付加する、アルミニウム（比重≒２．７ｇｆ／ｃｍ３）からなる重量調整部品Ｇ’を配設し、軸筒２２の後端に、ポリプロピレンからなり、クリップ２６を一体に形成したキャップ２５を装着してなる、キャップ式ボールペンである。総重量を１７．１ｇｆとし、全長は１４０ｍｍ、重心は筆記先端から６７．４ｍｍ、重心位置を回転軸として計算した慣性モーメントＩは、Ｉ≒２６０００ｇｆ・ｍｍ２であった。
【００３３】
重量分布概略図は、図７に示す通りであり、具体的には、筆記体先端から２０ｍｍの位置から筆記具全長の１／２（筆記先端から７０ｍｍ）の間における重量は９．８ｇｆで、筆記具の総重量の約５８％であった。
【００３４】
図８に示すのは従来のノック式ボールペン（筆記具）１０１であって、第１、第２の実施の形態のノック式ボールペンにおいて、首部材１０３を黄銅製とし、軸筒２の把持部に重量調整部材を配設せずに、或いは肉圧を厚くしないシリコーンゴムからなる弾性体１０４のみ配設した構造である。ノック式ボールペンは、図９に示すような重量分布概略図となり、重心位置は筆記先端から５４．９ｍｍ、筆記体先端から２０ｍｍの位置から筆記具全長の１／２（筆記先端から７０ｍｍ）の間における重量が、筆記具の総重量の約３１％であり、５０％以上にならなかった。
【００３５】
具体的には、総重量を１６．２ｇｆとし、全長１４０ｍｍ、重心は筆記先端から５４．９ｍｍ、重心位置を回転軸として計算した慣性モーメントＩは、Ｉ≒３００００ｇｆ・ｍｍ２であった。筆記体先端から２０ｍｍの位置から筆記具全長の１／２（筆記先端から７０ｍｍ）の間における重量は５．０ｇｆで、筆記具の総重量の約３１％であった。
【００３６】
図１０に示すのは従来のキャップ式ボールペン（筆記具）１２１であって、第３の実施の形態におけるキャップ式ボールペンの首部材１０３を黄銅製、クリップ１２６を一体に形成したキャップ１２５をＰＣ樹脂とし、重量調整部材を配設しない構造である。キャップ式ボールペンは、図１１に示すような重量分布概略図となり、筆記体先端から２０ｍｍの位置から筆記具全長の１／２の間における重量が、筆記具の総重量の約２８％であり、５０％以上にならなかった。
【００３７】
具体的には、総重量を１７．９ｇｆである。全長１４０ｍｍ、重心は筆記先端から６３．４ｍｍ、重心位置を回転軸として計算した慣性モーメントＩは、Ｉ≒４１０００ｇｆ・ｍｍ２であった。筆記体先端から２０ｍｍの位置から筆記具全長の１／２（筆記先端から７０ｍｍ）の間における重量は５．０ｇｆで、筆記具の総重量の約２８％であった。
【００３８】
第１、第２の実施の形態の筆記具と従来のノック式筆記具を、第３の実施の形態の筆記具と従来のキャップ式筆記具を、筆記時における筆記具のバランス及び安定感を一対比較法により１０代から５０代の男女合わせて１００名（男７０名、女３０名）による検定を行った。評価は、筆記時における筆記具のバランス及び安定感において、優位性がある：◎、同等である：○、優位性がない：×とした。結果は、実施の形態の筆記具が、筆記時における筆記具のバランスが、優位性があるとの回答が約６０％、同等である約３０％、優位性がない約１０％であった。
【００３９】
従来の筆記具における、筆記具用部品の材質の選定においては、硬度や強度、或いは、透明性等の外観上の問題を重視しているため、重心位置を特定する以外は、筆記具の重量分布状態を考えておらず、特に筆記体先端から２０ｍｍの位置から筆記具全長の１／２の間における重量を考慮していないので、例えば、弾性体に比重の高いシリコーンゴム（比重：１．０〜１．３ｇｆ／ｃｍ３）を使用しても、筆記具の先端部及び／又は後端部に比重の高いポリカーボネート（比重：１．２ｇｆ／ｃｍ３）等の樹脂部品や銅や鉄等の金属部品等を使用したり、または筆記具の先端部及び／又は後端部に比重の低いポリプロピレン（比重：０．９０〜０．９１ｇｆ／ｃｍ３）等を使用しても、弾性体に比重の低いポリオレフィン系エラストマー（比重：０．８８ｇｆ／ｃｍ３）等を使用していたため、筆記体先端から２０ｍｍの位置から筆記具全長の１／２の間における重量が、筆記具の総重量の５０％以上にならなかった。
【００４０】
図１２は、先端を削り筆記可能状態とした鉛筆であり、総重量３．２ｇｆ、全長１４０ｍｍ、重心は筆記先端から７６．５ｍｍ、重心位置を回転軸として計算した鉛筆の慣性モーメントは、Ｉ≒４３００ｇｆ・ｍｍ２であった。重量分布概略図は、図１３に示す通りであり、鉛芯を突出するために削った以外は、均等の分布となり、筆記体先端から２０ｍｍの位置から筆記具全長の１／２（筆記先端から７０ｍｍ）の間における重量は１．３ｇｆで、筆記具の総重量の約４０％であった。
【００４１】
こうした鉛筆に代表されるような、軽量で、且つ重量が均等に分布しているような筆記具は、軽量であるが故に慣性モーメントは小さくなるが、親指、人差し指及び中指の当接部分と、親指と人差し指の指間の当接部分との間、具体的には、筆記体先端から２０ｍｍの位置から筆記具全長の１／２の間における重量が、筆記具の総重量の５０％以上とならず、筆記時における筆記具のバランス及び安定感が良好であるものではなかった。
【００４２】
本発明は、筆記体先端から２０ｍｍの位置から筆記具全長の１／２の位置の間における重量が、筆記具の総重量の５０％以上とすることが重要であり、そのために、さらには把持部に弾性体や重量調整部品を配設し、また、さらには、他の筆記具用部品に比重の小さい樹脂部材を使用したり、筆記具用部品の肉圧を調整したり、他の筆記具用部品の重量分布を考慮することが望ましい。
【００４３】
また、筆記体先端から２０ｍｍの位置から筆記具全長の１／２の間の重量が、筆記具の総重量の５０％以上とすることによって、握った時のバランス及び安定感が良好で、前述したように慣性モーメントを小さくし重心の回りの円滑な微小往復回転運動を可能にすることができる。筆記体先端から２０ｍｍの位置から筆記具全長の１／２の位置の間の重量が、筆記具の総重量の５０％未満では、筆記体先端から２０ｍｍの位置から筆記具全長の１／２の位置の間以外の筆記先端部分や後端部分のほうが、重量が重くなる可能性があるため、筆記時における筆記具のバランスが悪くなる恐れがある。
【００４４】
また、前述したように、本発明は、筆記体先端から２０ｍｍの位置から筆記具全長の１／２の位置の間に筆記具の総重量の５０％以上となっていれば、構造は特に限定されるものではないが、筆記体先端から２０ｍｍの位置から筆記具全長の１／２の位置の間に、荷重を付加するための重量調整部品を配設することによって、重心位置及び、筆記具の総重量の５０％以上を集中させることが容易に行うことができる。
【００４５】
さらに、筆記具用部品の総重量が１５ｇｆ以上の比較的重量の重い筆記具は、例えば、筆記具用部品の大部分を樹脂材のみで形成した、１０ｇｆ程度の軽量のものに比べ、筆記具を握った時の重厚感を得ることができる。しかし、総重量を高くするのに、口金やノブ等、先端部及び／または後端部に比重の高い、黄銅や鉄等の金属材料を用いていたため、筆記体先端から２０ｍｍの位置から筆記具全長の１／２の位置の間に重心を位置させるとともに筆記具の総重量の５０％以上とさせることは困難となるのである。このとからもの、本発明の構成及び効果は着目されるべきであるのである。
【００４６】
また、重心位置を回転軸とした時に、回転軸から離間した部分に比重の高い黄銅や鉄等の金属材料を用いると、慣性モーメントも高くなり、従来の総重量が１５ｇｆ以上の筆記具の慣性モーメントは３００００ｇｆ・ｍｍ２以上であることを考慮すると、筆記具の慣性モーメントが２５０００以下であれば、差別化が容易であり、好ましくは２００００ｇｆ・ｍｍ２以下にする。
【００４７】
また、筆記具の慣性モーメントが小さければ小さい程、微小な往復回転運動における回転しやすさ、止めやすさはは向上するが、鉛筆の慣性モーメントが約４３００であることを考慮して、４３００ｇｆ・ｍｍ２より小さくすると、筆記具の総重量を１５ｇｆ以上とし、低価格品に比べ重量を重くしてあっても、軽量感が発生し、そのため低価格品に感じてしまう恐れがあるので、慣性モーメントは、４３００ｇｆ・ｍｍ２≦Ｉ≦２５０００ｇｆ・ｍｍ２、好ましくは、４３００ｇｆ・ｍｍ２≦Ｉ≦２００００ｇｆ・ｍｍ２とするほうがよい。
【００４８】
筆記具の先端部及び／又は後端部に位置する筆記具用部品が、比重の小さい金属部材又は樹脂部材で形成することによって、筆記体先端から２０ｍｍの位置から筆記具全長の１／２の位置の間に、筆記具の総重量の５０％以上を有するとともに、重心の近傍に重量を集中した重量分布状態を形成しやすい。また、重心位置（回転軸）から離間した筆記具用部品の慣性モーメントを小さくすることができ、その結果、筆記具全体の慣性モーメントも小さくしやすくなる。
【００４９】
本実施の形態では、便宜上、回転カムによるノック式ボールペン及びキャップ式ボールペンとして例示してあるが、ペン先部の構造や使用する筆記具用インキに限定されることはない。また、他の構造のノック式筆記具やキャップ式筆記具に限定されることなく実施することができるが、キャップ式筆記具の場合には、キャップを外し、後軸にキャップを嵌合（後ろ差し）した状態で筆記することを考慮し、後軸にキャップを嵌合した状態で、重心位置や総重量を算出する。また、実施の形態のように、回転カムによるノック式筆記具は、回転カムやノック体等、構成する部品数が多くなり、また、こうした回転カムやノック体は、後軸の後端部に集中するため、重心位置が後方になりやすいので、本発明の効果は特に顕著である。
【００５０】
【発明の効果】
本発明の構成によれば、筆記時における筆記具のバランス及び安定感が良好であり、円滑な微小往復回転運動が可能で好適な筆記動作を可能にする筆記具を提供することができる。
【図面の簡単な説明】
【図１】第１の実施の形態を示す、筆記具の縦断面図である。
【図２】図１における、重量分布を示す概略図である。
【図３】筆記具の微小な往復回転運動を示す説明図である。
【図４】第２の実施の形態を示す、筆記具の縦断面図である。
【図５】図３における、重量分布を示す概略図である。
【図６】第３の実施の形態を示す、重量分布を示す概略図である。
【図７】図５における、重量分布を示す概略図である。
【図８】従来のノック式筆記具を示す、筆記具の縦断面図である。
【図９】図７における、重量分布を示す概略図である。
【図１０】従来のキャップ式筆記具を示す、筆記具の縦断面図である。
【図１１】図１９における、重量分布を示す概略図である。
【図１２】鉛筆を示す、筆記具の縦断面図である。
【図１３】図１１における、重量分布を示す概略図である。
【図１４】筆記時おける筆記具を把持した時に親指、人差し指、中指の指先が当接する部分ａと、親指と人差し指の指間の当接部分ｂを示す図。
【符号の説名】
１、１１、２１  筆記具
２、２２  軸筒
３  口先部材
４、１４、２４  グリップ部材
５  回転カム
６  ノック体
７  インキ収容管
８  ボールペンチップ
９  クリップ
１０  コルスプリング
２５  キャップ
２６  クリップ
Ｇ、Ｇ’  重量調整部材
ａ  筆記具を把持した時に親指、人差し指、中指の指先が当接する部分
ｂ  筆記具を把持した時に親指と人差し指の指間の当接部分
【図１】
2004338235.tif 000003
【図２】
2004338235.tif 000004
【図３】
2004338235.tif 000005
【図４】
2004338235.tif 000006
【図５】
2004338235.tif 000007
【図６】
2004338235.tif 000008
【図７】
2004338235.tif 000009
【図８】
2004338235.tif 000010
【図９】
2004338235.tif 000011
【図１０】
2004338235.tif 000012
【図１１】
2004338235.tif 000013
【図１２】
2004338235.tif 000014
【図１３】
2004338235.tif 000015
【図１４】
2004338235.tif 000016